(57)【要約】【課題】間接活線工事用クリップの傾斜角度を変更自在な間接活線工事用アダプタを提供する。【解決手段】アダプタ１０は、アダプタ本体１と係止手段２を備える。又、アダプタ１０は、クリップ保持部材３ａ・３ｂとドラッグ機構４・４を備える。アダプタ本体１は、把持爪９１ａ・９１ｂが挿入可能な穴部１１ｈを対向面１０ａと反対側に開口している。係止手段２は、アダプタ本体１を把持爪９１ａ・９１ｂに固定できる。クリップ保持部材３ａ・３ｂは、一端部側がアダプタ本体１に回動自在に連結し、クリップ７を把持できる。ドラッグ機構４は、クリップ保持部材３ａ・３ｂの回動に制動力を付与できる。一組のアダプタ１０・１０は、クリップ７を把持した状態で、絶縁操作棒９が延びる方向に対するクリップ７の傾斜角度を変更できる。【選択図】図１
2017034901.tif 000002
【特許請求の範囲】
【請求項１】
絶縁操作棒の先端部に設けた一対の開閉する把持腕に着脱自在に取り付けでき、間接活線工事用クリップを一対の前記把持腕から延長した状態で把持でき、前記間接活線工事用クリップを把持した状態で、前記絶縁操作棒が延びる方向に対する前記間接活線工事用クリップの傾斜角度を変更自在な間接活線工事用アダプタであって、
一対の前記把持腕から遠心方向に突出する把持爪が挿入可能な穴部を対向面と反対側に開口したブロック状のアダプタ本体と、
前記アダプタ本体に取り付け、前記把持爪の把持面と反対面から当該把持爪を固定する係止手段と、
前記対向面に沿って、前記アダプタ本体から突出する取り付け片に一端部側が回動自在に連結し、前記間接活線工事用クリップに設けた把持部を他端部側から導入できる凹部を形成したクリップ保持部材と、
前記アダプタ本体に対する前記クリップ保持部材の回動に、調整自在な制動力を付与できるドラッグ機構と、を備える間接活線工事用アダプタ。
【請求項２】
前記クリップ保持部材は、平歯車状のクリック歯車を一端部側に有し、
前記アダプタ本体は、クリック感を有して、自由端部の先端部が前記クリック歯車の歯面を押圧している片持ち状の板ばねを有する、請求項１記載の間接活線工事用アダプタ。
【請求項３】
前記ドラッグ機構は、
基端部を前記取り付け片に固定し、軸部を前記取り付け片から突出した固定軸と、
中心部を前記固定軸に挿通すると共に、前記取り付け片と前記クリップ保持部材の一端部側との間に介在した円形のクラッチ板と、
前記固定軸の軸部に形成した雄ねじ部に螺合自在な雌ねじ部を中心部に形成した第１固定ねじ及び第２固定ねじと、
前記クリップ保持部材の一端部側と対向配置された前記第２固定ねじと前記クリップ保持部材の一端部側に介在した波形座金と、を備える請求項１又は２記載の間接活線工事用アダプタ。
【発明の詳細な説明】
【技術分野】
【０００１】
本発明は、間接活線工事用アダプタに関する。特に、間接活線工事用の絶縁操作棒の先端部に設けた一対の開閉する把持腕に着脱自在な一組のアダプタであって、間接活線工事用クリップを一対の把持腕から延長した状態で把持でき、間接活線工事用クリップを把持した状態で、絶縁操作棒が延びる方向に対する間接活線工事用クリップの傾斜角度を変更自在な間接活線工事用アダプタの構造に関する。
【背景技術】
【０００２】
高圧配電線を無停電状態で配電工事を行う活線作業には、直接活線工法と間接活線工法の二通りがあることが知られている。直接活線工法は、作業者が高圧ゴム手袋などの保護具を着用して、通電中の高圧配電線に直接触れて配電工事を行う。一方、間接活線工法は、作業者が絶縁操作棒（ホットスティック）などを用いて、通電中の高圧配電線に直接触れることなく配電工事を行うことができる。
【０００３】
一般に、絶縁操作棒は、長尺の操作棒とこの操作棒の先端部に取り付けた配電作業用工具（以下、先端工具という）で構成している。そして、絶縁操作棒は、高圧配電線を把持、又は切断するなど、作業目的に対応して、先端工具を交換できるように構成している。
【０００４】
このような遠隔に配置された高圧配電線を把持する絶縁操作棒としては、絶縁操作棒の先端部に設けた一対の把持腕を手許の操作で開閉できる遠隔把持用絶縁操作棒、いわゆる「絶縁ヤットコ」が知られている。この絶縁ヤットコを用いて、電線を把持する作業の他に、部分的に被覆を剥離した電線に絶縁シートを被せる作業などが実施されている。
【０００５】
電線に絶縁シートを被せる作業においては、間接活線工事用クリップを用いて、電線に絶縁シートを挟持させるために、絶縁ヤットコの先端部に間接活線工事用クリップを取り付けることができ、絶縁ヤットコの手許操作で間接活線工事用クリップを開閉自在とした間接活線工事用クリップが開示されている（例えば、特許文献１参照）。
【０００６】
図１１は、従来技術による間接活線工事用クリップの構成を示す図であり、図１１（Ａ）は、間接活線工事用クリップの平面図、図１１（Ｂ）は、間接活線工事用クリップの正面図である。又、図１２は、従来技術による間接活線工事用クリップの構成を示す正面図であり、絶縁ヤットコで間接活線工事用クリップの把持部を把持した状態図である。
【０００７】
なお、本願の図１１（Ａ）は、特許文献１の図１４に相当し、本願の図１１（Ｂ）は、特許文献１の図１５に相当している。又、本願の図１２は、特許文献１の図１３に相当している。
【０００８】
図１１を参照すると、従来技術による間接活線工事用クリップ（以下、クリップと略称する）７は、一対の帯板状の開閉部材７１・７２と連結部材７ｐを備えている。一対の開閉部材７１・７２は、絶縁性を有する硬質の合成樹脂からなり、長尺の帯板状に成形している。一対の開閉部材７１・７２は、挟持部７１ａ・７２ａと把持部７１ｂ・７２ｂに区分している。一対の挟持部７１ａ・７２ａは、例えば、図示しない電線の上から絶縁シートを挟持できる。一対の挟持部７１ａ・７２ａは、絶縁操作棒Ｈｓ（図１２参照）によって把持できる。
【０００９】
図１１を参照すると、連結部材７ｐは、実体として、一対の開閉部材７１・７２の幅方向に挿通された連結ピンである。そして、この連結ピンが一対の開閉部材７１・７２から離脱しないように、連結部の周囲をゴムからなる環状のバンド部材６ｇで覆っている。このように、連結部材７ｐは、一対の挟持部７１ａ・７２ａの先端部を開閉可能に、一対の挟持部７１ａ・７２ａの基端部側を連結している。
【００１０】
図１１を参照すると、クリップ７は、図示しない捩じりコイルばねを連結部材７ｐ及び一対の把持部７１ｂ・７２ｂに内装している。この捩じりコイルばねは、一対の挟持部７１ａ・７２ａの先端部が閉じる方向に力を付勢している。そして、この捩じりコイルばねの付勢力に抗して、一対の把持部７１ｂ・７２ｂを互いに近づけると、挟持部７１ａ・７２ａの先端部を開くことができる。一方、一対の把持部７１ｂ・７２ｂを解放すると、捩じりコイルばねに付勢されて、一対の挟持部７１ａ・７２ａの先端部を閉じることができる（図１１（Ａ）参照）。
【００１１】
図１１を参照すると、クリップ７は、綾目状の滑り止め加工が施された滑り止め部７１ｒ・７２ｒを一対の把持部７１ｂ・７２ｂの外面に形成している。これにより、後述する絶縁操作棒Ｈｓの先端部に設けた一対の開閉アームＲａ・Ｌａで確実に把持できる（図１２参照）。
図１１（Ａ）を参照すると、一方の開閉部材７１は、緩やかに湾曲した円弧溝７１１を挟持部７１ａの内壁に形成している。同様に、他方の開閉部材７２は、緩やかに湾曲した円弧溝７２１を挟持部７２ａの内壁に形成している。図示しない絶縁シートを介して、円弧溝７１１と円弧溝７２１の間に、電線を導入して、一対の開閉部材７１・７２を閉じることで、電線を絶縁シートで覆って挟持できる。
【００１２】
図１２を参照して、一対の開閉アームＲａ・Ｌａを先端部に有する絶縁操作棒Ｈｓを用いて、一対の把持部７１ｂ・７２ｂを把持し、一対の挟持部７１ａ・７２ａの先端部が開いた状態で、クリップ７を電線に近づけることができる。
【００１３】
しかし、クリップ７より上方に電線が配置されているとは限らない。例えば、クリップ７より下方に電線が配置されている場合には、図１２に示すように、絶縁操作棒Ｈｓが延びる方向と鋭角に、クリップ７の把持部７１ｂ・７２ｂを把持し、絶縁操作棒Ｈｓを引き下げることで、クリップ７を電線に近づけることができる。
【００１４】
しかし、このような場合には、一対の開閉アームＲａ・Ｌａは、滑り止め部７１ｒ・７２ｒの一部しか把持できず（図１２参照）、クリップ７が絶縁操作棒Ｈｓから脱落し易いという問題があった。
【００１５】
このような事態を解消するため、把持部に対して、一対の開閉アームを任意の方向から差し入れて安定よく把持できる間接活線工事用クリップが開示されている（例えば、特許文献２参照）。
【先行技術文献】
【特許文献】
【００１６】
【特許文献１】特開２０１２−２０００８９号公報
【特許文献２】特開２０１１−８９６２９号公報
【発明の概要】
【発明が解決しようとする課題】
【００１７】
図１３は、他の従来技術による間接活線工事用クリップの構成を示す正面図である。図１４は、他の従来技術による間接活線工事用クリップの構成を示す平面図であり、他の間接活線工事用クリップの使用状態図である。なお、本願の図１３は、特許文献２の図１に相当し、本願の図１４は、特許文献２の図６に相当している。
【００１８】
図１３又は図１４を参照すると、他の従来技術によるクリップ８は、一対の帯板状の開閉部材８１・８２と連結部８３を備えている。一対の開閉部材８１・８２は、絶縁性を有する硬質の合成樹脂からなり、長尺の帯板状に成形している。一対の開閉部材８１・８２は、挟持部８１ａ・８２ａと把持部８１ｂ・８２ｂに区分している。一対の挟持部８１ａ・８２ａは、例えば、図示しない電線の上から絶縁シートを挟持できる。一対の挟持部８１ａ・８２ａは、絶縁操作棒９（図１４参照）によって把持できる。
【００１９】
図１３を参照すると、連結部８３は、一対の開閉部材８１・８２の幅方向に挿通された連結ピン（図示せず）を備えている。そして、この連結ピンが一対の開閉部材８１・８２から離脱しないように、連結部８３の周囲をゴムからなる環状のバンド部材８ｇで覆っている。
【００２０】
又、図１３を参照すると、連結部８３は、図示しない捩じりコイルばねを内部に備えている。この捩じりコイルばねは、一対の挟持部８１ａ・８２ａの先端部が閉じる方向に力を付勢している。そして、この捩じりコイルばねの付勢力に抗して、一対の把持部８１ｂ・８２ｂを互いに近づけると（図１３参照）、挟持部８１ａ・８２ａの先端部を開くことができる。一方、一対の把持部８１ｂ・８２ｂを解放すると、捩じりコイルばねに付勢されて、一対の挟持部８１ａ・８２ａの先端部を閉じることができる。
【００２１】
図１３を参照すると、他の従来技術によるクリップ８は、一対の把持部８１ｂ・８２ｂを円板状に形成していることに特徴がある。そして、一対の把持部８１ｂ・８２ｂには、綾目状の滑り止め加工が施された滑り止め部８１ｒ・８２ｒを外面に形成している。
【００２２】
図１４を参照して、開閉する一対の湾曲した把持腕９ａ・９ｂを先端部に有する絶縁操作棒９を用いて、一対の把持部８１ｂ・８２ｂを把持できる。より具体的には、一対の把持腕９ａ・９ｂの先端部側に形成された把持爪９１ａ・９１ｂで一対の把持部８１ｂ・８２ｂを把持できる。そして、一対の挟持部７１ａ・７２ａの先端部が開いた状態で、クリップ７を電線に近づけることができる。
【００２３】
図１３又は図１４を参照して、他の従来技術によるクリップ８は、一対の把持部８１ｂ・８２ｂを円板状に形成しているので、絶縁操作棒９の先端部に設けた一対の把持爪９１ａ・９１ｂをあらゆる方向から一対の把持部８１ｂ・８２ｂに差し入れて、一対の把持部８１ｂ・８２ｂを把持できる。
【００２４】
しかし、他の従来技術によるクリップ８は、一対の把持爪９１ａ・９１ｂで把持部８１ｂ・８２ｂを把持した後に、絶縁操作棒９が延びる方向に対する傾斜角度を変更することが困難であるいう問題がある。クリップ８を電線にアプローチする角度が予測と異なる場合があるからである。
【００２５】
以上のことから、間接活線工事用の絶縁操作棒の先端部に設けた一対の開閉する把持腕に着脱自在であり、クリップを保持できる一組のアダプタであって、間接活線工事用クリップを把持した状態で、絶縁操作棒が延びる方向に対する間接活線工事用クリップの傾斜角度を変更自在な間接活線工事用アダプタが求められていた。そして、以上のことが本発明の課題といってよい。
【００２６】
本発明は、このような課題に鑑みてなされたものであり、間接活線工事用クリップを把持した状態で、絶縁操作棒が延びる方向に対する間接活線工事用クリップの傾斜角度を変更自在な間接活線工事用アダプタを提供することを目的とする。
【課題を解決するための手段】
【００２７】
本発明者は、絶縁ヤットコに取り付けた一組のアダプタ本体と、アダプタ本体に対して傾動できる一対のクリップ保持部材で間接活線工事用アダプタを構成することで、間接活線工事用クリップの傾斜角度を変更自在にできると考え、これに基づいて、以下のような新たな間接活線工事用アダプタを発明するに至った。
【００２８】
（１）本発明による間接活線工事用アダプタは、絶縁操作棒の先端部に設けた一対の開閉する把持腕に着脱自在に取り付けでき、間接活線工事用クリップを一対の前記把持腕から延長した状態で把持でき、前記間接活線工事用クリップを把持した状態で、前記絶縁操作棒が延びる方向に対する前記間接活線工事用クリップの傾斜角度を変更自在な間接活線工事用アダプタであって、一対の前記把持腕から遠心方向に突出する把持爪が挿入可能な穴部を対向面と反対側に開口したブロック状のアダプタ本体と、前記アダプタ本体に取り付け、前記把持爪の把持面と反対面から当該把持爪を固定する係止手段と、前記対向面に沿って、前記アダプタ本体から突出する取り付け片に一端部側が回動自在に連結し、前記間接活線工事用クリップに設けた把持部を他端部側から導入できる凹部を形成したクリップ保持部材と、前記アダプタ本体に対する前記クリップ保持部材の回動に、調整自在な制動力を付与できるドラッグ機構と、を備える。
【００２９】
（２）前記クリップ保持部材は、平歯車状のクリック歯車を一端部側に有し、前記アダプタ本体は、クリック感を有して、自由端部の先端部が前記クリック歯車の歯面を押圧している片持ち状の板ばねを有することが好ましい。
【００３０】
（３）前記ドラッグ機構は、基端部を前記取り付け片に固定し、軸部を前記取り付け片から突出した固定軸と、中心部を前記固定軸に挿通すると共に、前記取り付け片と前記クリップ保持部材の一端部側との間に介在した円形のクラッチ板と、前記固定軸の軸部に形成した雄ねじ部に螺合自在な雌ねじ部を中心部に形成した第１固定ねじ及び第２固定ねじと、前記クリップ保持部材の一端部側と対向配置された前記第２固定ねじと前記クリップ保持部材の一端部側に介在した波形座金と、を備えることが好ましい。
【発明の効果】
【００３１】
本発明による間接活線工事用アダプタは、絶縁操作棒の先端部に設けた一対の開閉する把持爪に着脱自在なアダプタ本体と、アダプタ本体を把持爪に固定する係止手段と、アダプタ本体と回動自在に連結し、間接活線工事用クリップを把持できるクリップ保持部材と、クリップ保持部材の回動に制動力を付与できるドラッグ機構と、を備え、間接活線工事用を把持した状態で、絶縁操作棒が延びる方向に対する間接活線工事用の傾斜角度を容易に変更できるので、便利である。
【図面の簡単な説明】
【００３２】
【図１】本発明の一実施形態による間接活線工事用アダプタの構成を示す縦断面図であり、一対の把持腕を閉じて、クリップに設けた一対の把持部を閉じた状態図である。
【図２】図１の状態変化図であり、一対の把持腕を所定角度開いて、クリップに設けた一対の把持部が開いた状態を示す縦断面図である。
【図３】前記実施形態による間接活線工事用アダプタの構成を示す図であり、図３（Ａ）は、一方の間接活線工事用アダプタの斜視図、図３（Ｂ）は、一方の間接活線工事用アダプタの要部縦断面図、図３（Ｃ）は、一方の間接活線工事用アダプタの要部横断面図である。
【図４】一方の間接活線工事用アダプタの構成を示す図であり、図４（Ａ）は、一方の間接活線工事用アダプタの縦断面図、図４（Ｂ）は、図４（Ａ）の平面図、図４（Ｃ）は、図４（Ａ）の右側面図である。
【図５】他方の間接活線工事用アダプタの構成を示す図であり、図５（Ａ）は、他方の間接活線工事用アダプタの縦断面図、図５（Ｂ）は、図５（Ａ）の平面図、図５（Ｃ）は、図５（Ａ）の右側面図である。
【図６】一方の間接活線工事用アダプタの構成を示す斜視分解組立図である。
【図７】他方の間接活線工事用アダプタの構成を示す斜視分解組立図である。
【図８】前記実施形態による間接活線工事用アダプタが適用される絶縁操作棒の正面図である。
【図９】、図８に示した絶縁操作棒の先端部を拡大した正面図である。
【図１０】図９の左側面図である。
【図１１】従来技術による間接活線工事用クリップの構成を示す図であり、図１１（Ａ）は、間接活線工事用クリップの平面図、図１１（Ｂ）は、間接活線工事用クリップの正面図である。
【図１２】従来技術による間接活線工事用クリップの構成を示す正面図であり、絶縁ヤットコで間接活線工事用クリップの把持部を把持した状態図である。
【図１３】他の従来技術による間接活線工事用クリップの構成を示す正面図である。
【図１４】他の従来技術による間接活線工事用クリップの構成を示す平面図であり、他の間接活線工事用クリップの使用状態図である。
【発明を実施するための形態】
【００３３】
以下、図面を参照して本発明を実施するための形態を説明する。
［間接活線工事用アダプタの構成］
最初に、本発明の一実施形態による間接活線工事用アダプタの構成を説明する。なお、本発明の一実施形態による間接活線工事用アダプタが適用される間接活線工事用クリップとしては、図１１に示した市販のクリップ７を用いて説明するが、これに限定されない。
【００３４】
図１は、本発明の一実施形態による間接活線工事用アダプタの構成を示す縦断面図であり、一対の把持腕を閉じて、クリップに設けた一対の把持部を閉じた状態図である。図２は、図１の状態変化図であり、一対の把持腕を所定角度開いて、クリップに設けた一対の把持部が開いた状態を示す縦断面図である。
【００３５】
図３は、前記実施形態による間接活線工事用アダプタの構成を示す図であり、図３（Ａ）は、一方の間接活線工事用アダプタの斜視図、図３（Ｂ）は、一方の間接活線工事用アダプタの要部縦断面図、図３（Ｃ）は、一方の間接活線工事用アダプタの要部横断面図である。
【００３６】
図４は、一方の間接活線工事用アダプタの構成を示す図であり、図４（Ａ）は、一方の間接活線工事用アダプタの縦断面図、図４（Ｂ）は、図４（Ａ）の平面図、図４（Ｃ）は、図４（Ａ）の右側面図である。
【００３７】
図５は、他方の間接活線工事用アダプタの構成を示す図であり、図５（Ａ）は、他方の間接活線工事用アダプタの縦断面図、図５（Ｂ）は、図５（Ａ）の平面図、図５（Ｃ）は、図５（Ａ）の右側面図である。
【００３８】
図６は、一方の間接活線工事用アダプタの構成を示す斜視分解組立図である。図７は、他方の間接活線工事用アダプタの構成を示す斜視分解組立図である。
【００３９】
（絶縁操作棒の構成）
本発明の一実施形態による間接活線工事用アダプタの構成を説明するに先立ち、前記実施形態による間接活線工事用アダプタが適用される絶縁操作棒の構成を説明する。
【００４０】
図８は、前記実施形態による間接活線工事用アダプタが適用される絶縁操作棒の正面図である。図９は、図８に示した絶縁操作棒の先端部を拡大した正面図である。図１０は、図９の左側面図である。
【００４１】
なお、従来技術で使用した符号と同じ符号を有する構成品は、その作用を同じとするので、以下説明を省略することがある。
【００４２】
図８から図１０を参照すると、絶縁操作棒９は、長尺の操作棒９１と把持工具９２で構成している。又、絶縁操作棒９は、作動棒９３を備えている。把持工具９２は、操作棒９１の先端部に取り付けられている。
【００４３】
図８又は図９を参照すると、把持工具９２は、開閉する一対の湾曲した把持腕９ａ・９ｂで構成している。そして、一方の把持腕９ａは、基端部が固定された固定腕であり、他方の把持腕９ｂは、一方の把持腕９ａの基端部に設けた回動軸９ｃを中心に回動する可動腕となっている。
【００４４】
図８を参照すると、作動棒９３は、操作棒９１に沿って保持されている。作動棒９３の先端部は、他方の把持腕９ｂに回動自在に連結している。そして、作動棒９３の基端部に設けた操作レバー９４を操作すると、一方の把持腕９ａに対して、他方の把持腕９ｂを開閉できる。絶縁操作棒９は、操作棒９１及び作動棒９３の中間部が絶縁性を有するプラスチックパイプなどで構成され、間接活線工法に好適なように、絶縁性を確保している。
【００４５】
図８を参照して、操作レバー９４を握って、操作レバー９４を操作棒９１に近づけると、一方の把持腕９ａに対して、他方の把持腕９ｂを閉じることができる。操作レバー９４を解放すると、操作レバー９４に連結したばね（図示せず）の力で、一方の把持腕９ａに対して、他方の把持腕９ｂを開くことができる。図８又は図９は、一方の把持腕９ａに対して、他方の把持腕９ｂが最大に開いた状態を示している。
【００４６】
図９又は図１０を参照して、一方の把持腕９ａは、先細り状の把持爪９１ａを突出している。把持爪９１ａは、把持面９０ａを形成している。把持面９０ａは、回動軸９ｃの回転中心から遠心方向に沿って略平行に形成されている。同様に、他方の把持腕９ｂは、先細り状の把持爪９１ｂを突出している。把持爪９１ｂは、把持面９０ｂを形成している。把持面９０ｂは、把持面９０ａと所定の開角を設けて配置されている。図８又は図９を参照して、操作レバー９４を握ると、把持面９０ｂを把持面９０ａに近づけることができる。
【００４７】
図８から図９に示した絶縁操作棒９は、高所に配置された高圧配電線などを一対の把持爪９１ａ・９１ｂで把持できる、いわゆる「絶縁ヤットコ」になっている。
【００４８】
（全体構成）
次に、本発明の一実施形態による間接活線工事用アダプタの全体構成を説明する。図１から図５を参照すると、本発明の一実施形態による間接活線工事用アダプタ（以下、アダプタと略称する）１０は、ブロック状のアダプタ本体１と係止手段２を備えている。又、アダプタ１０は、一組のクリップ保持部材３ａ・３ｂと一組のドラッグ機構４・４を備えている。
【００４９】
図１から図５を参照すると、一組のアダプタ１０・１０は、絶縁操作棒９の先端部に設けた一対の開閉する把持腕９ａ・９ｂに着脱自在に取り付けできる（図８から図１０参照）。又、一組のアダプタ１０・１０は、クリップ７を一対の把持腕９ａ・９ｂから延長した状態で把持できる（図１又は図２参照）。そして、一組のアダプタ１０・１０は、クリップ７を把持した状態で、絶縁操作棒９が延びる方向に対するクリップ７の傾斜角度を変更できる（図４又は図５参照）。
【００５０】
（アダプタ本体の構成）
図１から図４を参照すると、アダプタ本体１は、絶縁操作棒９０の先端部に設けた一対の開閉する湾曲した把持腕９ａ・９ｂに取り付けことができる。又、図３を参照すると、アダプタ本体１は、穴部１１ｈを対向面１０ａと反対側に開口している。穴部１１ｈには、一対の把持腕９ａ・９ｂから遠心方向に突出する把持爪９１ａ又は把持爪９１ｂを挿入できる（図３（Ｂ）参照）。
【００５１】
図１から図５を参照すると、アダプタ本体１は、帯状の取り付け片１１を一端部側に突出している。取り付け片１１には、後述する固定軸４ｓを突出している。固定軸４ｓには、クリップ保持部材３ａの一端部側、又はクリップ保持部材３ｂの一端部側を回動自在に連結できる。
【００５２】
（係止手段の構成）
次に、係止手段２の構成を説明する。図３を参照すると、係止手段２は、係合ピン２１と圧縮コイルばね２２を備えている。係合ピン２１は、軸部２１ｓと鍔部２１ｆで構成している。軸部２１ｓは、アダプタ本体１の外壁から突出した円筒部２ｐの内部に収容されている。軸部２１ｓは、その先端部が穴部１１ｈの内壁から内部に突出している（図３（Ｂ）参照）。鍔部２１ｆは、円筒部２ｐの上端縁に当接している。
【００５３】
図３（Ｂ）を参照すると、圧縮コイルばね２２は、軸部２１ｓの外周を巻回している。又、圧縮コイルばね２２は、円筒部２ｐの内部に収容されている。圧縮コイルばね２２の一端部は、軸部２１ｓに固定されている。圧縮コイルばね２２の他端部は、円筒部２ｐの内壁に固定されている。そして、圧縮コイルばね２２は、軸部２１ｓの先端部が穴部１１ｈの内部に突出する力を付勢している。
【００５４】
図３（Ａ）又は図３（Ｂ）を参照して、鍔部２１ｆを把持して、圧縮コイルばね２２の弾性力に抗して、係合ピン２１を引き上げると、把持爪９１ａ又は把持爪９１ｂを穴部１１ｈに収容できる（図４又は図５参照）。そして、鍔部２１ｆを解放すると、把持爪９１ａ又は把持爪９１ｂの把持面９０ａ・９０ｂと反対面から把持爪９１ａ又は把持爪９１ｂに係合ピン２１の先端部を当接できる。把持爪９１ａ又は把持爪９１ｂには、係合ピン２１の先端部が進入できる窪み９ｄを設けている（図１又は図２参照）。
【００５５】
図３（Ｂ）又は図３（Ｃ）を参照すると、軸部２１ｓは、遠心方向に係止ピン２１ｐを突出している。一方、円筒部２ｐの内部には、係止ピン２１ｐを軸部２１ｓの軸方向に案内するスリット状の溝２１ｍを設けている。
【００５６】
図３（Ｂ）又は図３（Ｃ）を参照して、鍔部２１ｆを把持して、係合ピン２１を引き上げると、係止ピン２１ｐを円筒部２ｐの上端縁を超える高さに移動できる。そして、係合ピン２１を外周方向に回動すると、係止ピン２１ｐを円筒部２ｐの上端縁に当接できる。これにより、係合ピン２１を引き上げた状態を維持でき、把持爪９１ａ又は把持爪９１ｂを穴部１１ｈに収容した後に、係合ピン２１を逆方向に回動することで、アダプタ本体１を把持爪９１ａ又は把持爪９１ｂに固定できる。
【００５７】
（クリップ保持部材の構成）
次に、一組のクリップ保持部材３ａ・３ｂの構成を説明する。図４又は図６を参照すると、一方のクリップ保持部材３ａは、帯板状に形成された回転アーム３１を一端部側に有し、箱状に形成したクリップ保持部３２を他端部側に有している。回転アーム３１は、固定軸４ｓと回転自在に連結する軸穴３１ｈを端部に開口している。又、回転アーム３１は、クリック歯車３ｇの回転中心が軸穴３１ｈと一致するように、クリック歯車３ｇを溶接などの固定手段で固定している。これにより、クリップ保持部材３ａとクリック歯車３ｇを一体にして回動できる。
【００５８】
図４又は図６を参照すると、クリップ保持部３２は、対向面から窪んだ凹部３２ｄを設けている。凹部３２ｄには、クリップ７に設けた把持部７１ｂを他端部側から導入できる（図１１参照）。
【００５９】
同様に、図５又は図７を参照すると、他方のクリップ保持部材３ｂは、帯板状に形成された回転アーム３１を一端部側に有し、箱状に形成したクリップ保持部３２を他端部側に有している。回転アーム３１は、固定軸４ｓと回転自在に連結する軸穴３１ｈを端部に開口している。又、回転アーム３１は、中心が軸穴３１ｈと一致するように、クリック歯車３ｇを溶接などの固定手段で固定している。クリップ保持部材３ｂとクリック歯車３ｇを一体にして回動できる。
【００６０】
図５又は図７を参照するとクリップ保持部３２は、対向面から窪んだ凹部３２ｄを設けている。凹部３２ｄには、クリップ７に設けた把持部７２ｂを他端部側から導入できる（図１１参照）。
【００６１】
（クリック機構の構成）
図４又は図６を参照すると、クリップ保持部材３ａは、平歯車状のクリック歯車３ｇを回転アーム３１に備えている。一方、アダプタ本体１は、片持ち状の板ばね１１ｓを備えている。板ばね１１ｓは、その固定端部がアダプタ本体１の対向面１０ａに固定されている。又、板ばね１１ｓは、その自由端部が対向面１０ａと反対側に延出し、自由端部の先端部がクリック歯車３ｇの歯面を押圧している。この構成により、アダプタ本体１に対して、クリップ保持部材３ａを回動すると、板ばね１１ｓの先端部がクリック歯車３ｇの歯を乗り越えるときのクリック感覚とクリック音で、クリップ保持部材３ａが所定のステップ角度で回動していることを実感できる。つまり、クリップ保持部材３ａを回動すると、クリック感を有して、クリップ保持部材３ａをステップ送りできる。
【００６２】
（ドラッグ機構の構成）
次に、ドラッグ機構４の構成を説明する。なお、図１又は図２を参照して、一方のアダプタ本体１に対するクリップ保持部材３ａの回動に調整自在な制動力を付与できるドラッグ機構４と、他方のアダプタ本体１に対するクリップ保持部材３ｂの回動に調整自在な制動力を付与できるドラッグ機構４とは、同じ構成であるので、一方のクリップ保持部材３ａに設けたドラッグ機構４を代表して、以下説明する。
【００６３】
図４又は図６を参照すると、ドラッグ機構４は、固定軸４ｓと一組の円形のクラッチ板４ｃ・４ｃを備えている。又、ドラッグ機構４は、第１固定ねじ４１及び第２固定ねじ４２と波形座金４ｗを備えている。
【００６４】
図４又は図６を参照すると、固定軸４ｓは、その基端部を取り付け片１１に固定している。又、固定軸４ｓは、その軸部を取り付け片１１から突出している。固定軸４ｓの軸部には、雄ねじ部ｍｓを形成している（図６参照）。固定軸４ｓの雄ねじ部ｍｓには、第１固定ねじ４１及び第２固定ねじ４２の中心部に形成した雌ねじ部ｆｓと螺合できる。
【００６５】
図４又は図６を参照すると、クラッチ板４ｃは、その両面を摩擦係数の大きい粗面で形成している。一組のクラッチ板４ｃ・４ｃは、その中心部を固定軸４ｓに挿通すると共に、取り付け片１１と回転アーム３１との間に介在している。これにより、波形座金４ｗで回転アーム３１を取り付け片１１に向かって押圧することで、クリップ保持部材３ａを所定の摩擦力で回動できる。なお、クリップ保持部材３ａは、クラッチ板４ｃが接触する以外は、取り付け片１１の面に接触しないように配置されている。
【００６６】
図４又は図６を参照すると、波形座金４ｗは、カラーリング４３を介して、第２固定ねじ４２と回転アーム３１との間に介在している。実施の形態では、波形座金４ｗは、クリック歯車３ｇの側面に当接している。波形座金４ｗは、ばね鋼製の平座金を波形に成形している。波形座金４ｗが平坦になるように変形させることで、反作用として、アダプタ本体１に対するクリップ保持部材３ａの回動に所定の制動力を付与できる。カラーリング４３は、その一方の面から突出した段部が波形座金４ｗの内部に没入することで、波形座金４ｗの軸ずれを防止している。
【００６７】
図４又は図６を参照すると、第１固定ねじ４１及び第２固定ねじ４２は、それらの中心部に雌ねじ部ｆｓを形成している。第１固定ねじ４１及び第２固定ねじ４２の雌ねじ部ｆｓは、固定軸４ｓの軸部に形成した雄ねじ部ｍｓに螺合できる。
【００６８】
図４又は図６を参照して、カラーリング４３を介して、第２固定ねじ４２を波形座金４ｗに向かって螺進することで、アダプタ本体１に対するクリップ保持部材３ａの制動力を調整できる。更に、第２固定ねじ４２に向かって、第１固定ねじ４１を螺進することで、第１固定ねじ４１と第２固定ねじ４２を緊締できる。いわゆる、ダブルナットの原理で、第１固定ねじ４１と第２固定ねじ４２を緩み止めできる。第１固定ねじ４１及び第２固定ねじ４２の外周には、綾目状のローレット加工を施しておくことが好ましい。
【００６９】
［間接活線工事用アダプタの作用］
次に、実施形態によるアダプタ１０の操作方法を説明しながら、アダプタ１０の作用及び効果を説明する。
【００７０】
図１から図３を参照すると、アダプタ１０は、把持爪９１ａ又は把持爪９１ｂを穴部１１ｈの一方の開口端から挿入し（図３参照）、係合ピン２１で固定できる。一組のアダプタ１０・１０は、一対の凹部３２ｄ・凹部３２ｄが対向するように、一対の把持腕９ａ・９ｂに取り付けられている（図４又は図５参照）。
【００７１】
図２を参照して、一対の把持腕９ａ・９ｂが所定角度開いた状態で、一対の把持部７１ｂ・７２ｂが開いた状態のクリップ７を一対の凹部３２ｄ・凹部３２ｄに挿入できる（図４又は図５参照）。つまり、一対の把持部７１ｂ・７２ｂを一対の凹部３２ｄ・凹部３２ｄに挿入できる。
【００７２】
図２に示した状態から、操作レバー９４を握って、操作レバー９４を操作棒９１に近づけると（図８参照）、一方のアダプタ１０に対して、他方のアダプタ１０を閉じることができる。つまり、一対の把持部７１ｂ・７２ｂを閉じることができる（図１参照）。
【００７３】
図１に示した状態では、一対の挟持部７１ａ・７２ａの先端部を開いた状態を維持できる。そして、一対の挟持部７１ａ・７２ａの先端部を開いた状態で、クリップ７を図示しない電線に向かって移動できる。図示しない電線の上に被せた絶縁シート（図示せず）を一対の挟持部７１ａ・７２ａの間に導入し、一対の把持腕９ａ・９ｂを所定角度開くことで（図２参照）、一対の挟持部７１ａ・７２ａで図示しない電線の上に被せた絶縁シート（図示せず）を挟持ができる。
【００７４】
図１に示した状態で、クリップ７を図示しない電線にアプローチするに当たり、絶縁操作棒９が延びる方向に対するクリップ７の傾斜角度が当初の目論見と異なっていた場合には、クリップ７を装柱物などに当て、絶縁操作棒９が延びる方向に対するクリップ７の傾斜角度を変更できる（図４又は図５参照）。アダプタ本体１・１に対するクリップ保持部材３ａ・３ｂの制動力は、予め調整しておくことが好ましい。
【００７５】
このように、実施形態によるアダプタ１０は、クリップ７を把持した状態で、絶縁操作棒９が延びる方向に対するクリップ７の傾斜角度を容易に変更できるので、便利である。
本発明による間接活線工事用アダプタは、次のような効果が奏される。
（１）絶縁操作棒が延びる方向に対して、間接活線工事用クリップを任意の方向に傾動できる。
（２）間接活線工事用クリップを下方に移動するに当たり、間接活線工事用クリップを確実に把持できる。
（３）間接活線工事用クリップが脱落することを防止できる。
（４）アダプタ本体に対するクリップ保持部材の回動に、調整自在な制動力を付与できる。
（５）クリップ保持部材を回動すると、クリック感を有して、クリップ保持部材をステップ送りできる。
【００７６】
本発明は、絶縁操作棒などを用いて、無停電状態の高圧配電線を間接的に活線工事できる間接活線工事用のアダプタを開示したが、本発明のアダプタは、間接活線工事用に限定されることなく、他の分野でも応用されることが期待される。
【符号の説明】
【００７７】
１  アダプタ本体
２  係止手段
３ａ  クリップ保持部材
３ｂ  クリップ保持部材
４  ドラッグ機構
７  クリップ（間接活線工事用クリップ）
９  絶縁操作棒
９ａ・９ｂ  一対の把持腕
１０  アダプタ（間接活線工事用アダプタ）
１０ａ  対向面
１１  取り付け片
１１ｈ  穴部
３２ｄ  凹部
７１ｂ・７２ｂ  把持部（クリップ７に設けた把持部）
９１ａ  把持爪
９１ｂ  把持爪
【図１】
2017034901.tif 000003
【図２】
2017034901.tif 000004
【図３】
2017034901.tif 000005
【図４】
2017034901.tif 000006
【図５】
2017034901.tif 000007
【図６】
2017034901.tif 000008
【図７】
2017034901.tif 000009
【図８】
2017034901.tif 000010
【図９】
2017034901.tif 000011
【図１０】
2017034901.tif 000012
【図１１】
2017034901.tif 000013
【図１２】
2017034901.tif 000014
【図１３】
2017034901.tif 000015
【図１４】
2017034901.tif 000016